(57)【要約】【課題】  比較的嵩の高い物品をも収納でき且つボトル飲料と一体化した飲料用ボトル及びボトル飲料の提供。【解決手段】  飲料用ボトル１は、注ぎ口を有する飲料用ボトル本体２と、該飲料用ボトル本体の前記注ぎ口４に嵌合して前記ボトル本体を密閉且つ一体化できるキャップ本体３とから構成され、前記キャップ本体の上部に物品が収納できる空間６を設けている。この飲料用ボトルは、内容飲料をコーヒー又は紅茶とし、前記空間内に砂糖及びミルクを収納したボトル飲料として使用することができる。【選択図】  図１
2006321540.tif 000002
【特許請求の範囲】
【請求項１】
注ぎ口を有する飲料用ボトル本体と、該飲料用ボトル本体の前記注ぎ口に嵌合して前記ボトル本体を密閉且つ一体化できるキャップ本体とから構成された飲料用ボトルであって、
前記キャップ本体の上部に物品が収納できる空間を設けたことを特徴とする飲料用ボトル。
【請求項２】
請求項１に記載の飲料用ボトルであって、
前記キャップ本体が前記空間を封止する手段を有している飲料用ボトル。
【請求項３】
請求項２に記載の飲料用ボトルであって、
前記空間を封止する手段が、一体ヒンジによって前記キャップ本体と一体化され且つスナップ式嵌合によってキャップ本体に係止できる蓋を含む、飲料用ボトル。
【請求項４】
請求項１乃至３のうちのいずれか一の項に記載の飲料用ボトルであって、
前記飲料用ボトル本体が広口のボトルである、飲料用ボトル。
【請求項５】
請求項１に記載の飲料用ボトルにコーヒー又は紅茶が入れられており、前記空間内に砂糖及びミルクが収納されているボトル飲料。
【発明の詳細な説明】
【技術分野】
【０００１】
本発明は、飲料用ボトルに関する。
【背景技術】
【０００２】
ボトル入り飲料において、内容飲料に関連する物品が収納できて一体化されていれば極めて便利である。例えば、ボトル入りのコーヒーや紅茶等においては、無糖、甘め、砂糖少なめ等の予めメーカーによって設定された味のものは何種類かあるにしても味はメーカーが設定した通りのものであり、例えば、シロップ（又は砂糖）、ミルク等を別に収納できれば飲む人の好みで味を調製でき、極めて利用価値が上がるものと予想される。このような関連物品を収納できる飲料ボトルの例として、例えば、キャラクター等の販促品を蓋部分に収納するようにして流通段階で外れたりしないようにしたボトル容器に関する出願が既になされている（特許文献１参照）。しかしながら、この容器は、筒状体の底面中心穴をボトルの注ぎ口に挿通し、筒状体内壁及び頂面とボトルの注ぎ口外周との間の空間に販促品を収納するようになされたものであり、前記空間は比較的狭いので収納できる内容物にも制限があり、コーヒー用の砂糖等を収納することはできなかった。
【特許文献１】特開２００１−１５８４３４
【発明の開示】
【発明が解決しようとする課題】
【０００３】
このような現況に鑑み、本発明は、コーヒー用の砂糖、ミルク等のある程度嵩の高い物品をも収納でき且つボトル飲料と一体化した飲料用ボトル及びボトル飲料を提供することを目的とする。
【課題を解決するための手段】
【０００４】
上記目的を達成するために、本発明においては、ボトル本体の注ぎ口に密閉嵌合でき且つ上部に物品が収納できる空間を設けたキャップ本体を前記ボトル本体に嵌合することにより一体化して飲料用ボトル及びボトル飲料を構成している。
【０００５】
ボトル本体の材質は、ペット（ポリエチレンテレフタレート）又はアルミニューム等の金属製の一般的に使用されているボトルを使用することができる。
また、ボトルの注ぎ口形状は、一般的なもので良いが、コーヒー等の場合には砂糖等が入れ易いように、比較的広口のボトルが好ましい。
【０００６】
キャップ本体の材質も特に制限はないが、成形可能なプラスチックが好ましい。
更に、キャップ本体とボトルとの嵌合は通常のねじによる螺合が好ましい。また、キャップ本体とボトル本体との封止も特に制限はなく一般的な手段が使用でき、例えば、顧客が手で捻ることによって開封できる所謂ミシン目による方法であっても良く、又はビニール等でボトル本体及びキャップ本体全体を包装するような方法であっても良い。
【０００７】
更に、キャップ本体の上部の空間は、一体ヒンジによってキャップ本体と一体化された蓋によって封止するのが好ましいが、フィルム等の貼り付けによる封止、螺合による形式等あらゆる手段を使用することができる。また、蓋をヒンジ形式、螺合形式等にした場合には、上記と同様にミシン目等によって一度開封された場合ことが判明し且つ顧客が簡単に開封することができる形式で封止するのが好ましい。更に、ヒンジ形式の蓋の場合には、再度使用できるように例えばフックとラッチの組み合わせのようなスナップ嵌合式の係止手段を設けるのが好ましい。
【作用及び効果】
【０００８】
本発明の飲料用ボトルの使用方法は、内容飲料や収納物品の種類によって様々であるが、例えば内容飲料がコーヒー、紅茶等の場合には、顧客は、キャップ本体を捻ることによってボトル本体から外してボトル本体の注ぎ口を開け、次いで、キャップ本体上部を開いて、中に収納されている砂糖、ミルク等を取り出して適当量をボトルの注ぎ口からボトル内に注いで好みの味に仕上げて飲用することになる。
【０００９】
その他、内容飲料を水又はお湯にしてキャップ本体空間に茶葉を収納したり、内容飲料を酒類として簡単なお摘みをキャップ本体内に収納しておくような使用方法や、キャラクタや販促品等を収納させる使用方法等、使用者のアイデアに応じた様々な使用方法が考えられる。
【００１０】
更に、飲用後のボトル本体をキャップ本体と共に同様の形態（すなわち、コーヒーを入れて再利用する場合には砂糖、ミルク等をキャップ本体の空間に収納する）で再利用できる他、ユーザーのアイデアによる種々の再利用形態が可能となる。
【発明を実施するための最良の形態】
【００１１】
以下、本発明を好ましい実施形態を図面を参照しつつ詳細に説明する。
図１は本発明の飲料用ボトルの一つの好ましい実施形態の分解斜視図であり、図２は図１に示した飲料用ボトルの側方断面図である。
【００１２】
図１の飲料用ボトルは、コーヒー飲料用に作られたものである。飲料用ボトル１は、ボトル本体２とキャップ本体３とから構成されている。ボトル本体は、雄ねじが切られている注ぎ口４が上端に設けられた一般的なペットボトルであるが広口のものである。一方、キャップ本体３は、円筒形の外形を有し、図２の断面図から明らかなように、内側中央部にボトル本体の注ぎ口４のねじ部と螺合して注ぎ口４を密封するようにねじが切られたキャップ部５が設けられている。更に、キャップ本体３の上方部分は比較的大きな空間６が設けられている。キャップ本体３の上端には空間６を封止するようになされた蓋部７が設けられている。蓋部７は、一体ヒンジによってキャップ本体３に一体化されている。蓋部７の一端には係止突起を有するフック部８が設けられ、キャップ本体の円筒状の内壁にはフック部８の係止突起が嵌合できるように凹部が設けられている。これによって、蓋部７は、スナップ式に円筒壁部分に係止することができる。図示していないが、キャップ本体３の蓋部７と円筒形壁部との間及びキャップ本体３とボトル本体２との間には、所謂ミシン目のような封止手段が設けられていて顧客によって開封されるまで開封されないようになされている。
【００１３】
空間６内には、コーヒーに必要なシロップとミルクとが予め収納されている。
以上のような構成のコーヒー飲料を購入した顧客は、まず、キャップ本体３を捻ることによって注ぎ口４を開き、次いで、キャップ本体３の蓋部７を開封してシロップ及び／又はミルクを取り出して自分の好みの量だけ注ぎ口４からボトル本体２内に入れてコーヒーと混ぜて好みの味に調製して飲用することができる。本実施形態におけるボトル本体２は、シロップ及び／又はミルクを入れ易いように広口の注ぎ口とされている。
【００１４】
このように、本発明の飲料用ボトルはキャップ本体３に設けられた比較的大きな空間６内にシロップ及びミルクを収納することができ且つ全体がボトルとして一体化されているので売店に限らず自動販売機等での販売も可能となり、顧客は屋内外を問わず手軽に自分の好みの味にしたコーヒーを楽しむことができる。更に、飲み終わった後のボトル本体２及びキャップ本体３は、綺麗に洗って同様な使用方法で或いは顧客のアイデアにより種々の使用方法で再利用することもでき、極めて利用価値が高い。
【産業上の利用可能性】
【００１５】
上記の実施形態はコーヒー飲料用になされたものであるが、本発明による飲料用ボトルは、コーヒー紅茶等に限らず、内容飲料を水又はお湯にしてキャップ本体の空間に茶葉を収納したり、内容飲料を酒類として簡単なお摘みをキャップ本体の空間内に収納しておくような使用方法や、キャラクタ商品や販促品等を収納させる使用方法等、使用者のアイデアに応じた様々な形態で使用することができる。
【図面の簡単な説明】
【００１６】
【図１】図１は本発明の飲料用ボトルの一つの好ましい実施形態の分解斜視図である。
【図２】図２は図１に示した飲料用ボトルの側方断面図である。
【符号の説明】
【００１７】
１  飲料用ボトル、        ２  ボトル本体、        ３  キャップ本体、
４  注ぎ口、              ５  キャップ部、        ６  空間、
７  蓋部、                ８フック部
【図１】
2006321540.tif 000003
【図２】
2006321540.tif 000004